(57)【特許請求の範囲】
【請求項１】
器具本体と；
筒部、およびこの筒部の外面に設けられ前記器具本体に取り付けられる取付部を有し、前記筒部の前記器具本体に対向する外面側に平面部が設けられた透光性を有するカバーと、前記カバーの前記筒部内に挿通される支持部材と、前記支持部材に配置される発光モジュールと、前記カバーの前記筒部の両端に取り付けられ、前記支持部材の両端を保持する保持部とを備える光源部と；
を具備することを特徴とする照明器具。
【請求項２】
前記保持部は、前記支持部材の端部に連結される連結部材と、前記カバーの端部に配置されるパッキングと、前記パッキングを介して前記カバーの端部に配置され、前記連結部材に対して締め付け固定されるキャップとを備える
ことを特徴とする請求項１記載の照明器具。
【発明の詳細な説明】
【技術分野】
【０００１】
本発明の実施形態は、発光モジュールを用いる照明器具に関する。
【背景技術】
【０００２】
従来、照明器具では、器具本体の下側に、支持部材に支持された発光モジュールが配置されているとともに、発光モジュールを覆う透光性を有するカバーが配置されている。
【０００３】
カバーは、発光モジュールに対向する下側領域が閉塞されているが、反対側となる上側領域が開口された断面形状に形成されている。そして、カバーの上側の開口部分に支持部材が嵌め込まれ、カバーと支持部材とが固定されている。
【０００４】
このような構造では、カバーと支持部材とを固定する構造が複雑になり、組立性が煩雑になっていた。
【先行技術文献】
【特許文献】
【０００５】
【特許文献１】特開２０１４−１３２５９７号公報
【発明の概要】
【発明が解決しようとする課題】
【０００６】
本発明が解決しようとする課題は、簡素化でき、組立性を向上できる照明器具を提供することである。
【課題を解決するための手段】
【０００７】
実施形態の照明器具は、器具本体および光源部を備える。光源部は、筒部、およびこの筒部の外面に設けられ器具本体に取り付けられる取付部が設けられた透光性を有するカバーを備える。筒部の器具本体に対向する外面側に平面部が設けられる。カバーの筒部内に支持部材を挿通する。支持部材に発光モジュールを配置する。カバーの筒部の両端に、支持部材の両端を保持する保持部を取り付ける。
【発明の効果】
【０００８】
本発明によれば、簡素化でき、組立性を向上させることが期待できる。
【図面の簡単な説明】
【０００９】
【図１】一実施形態を示す照明器具のカバーおよび保持部の分解状態の斜視図である。
【図２】同上照明器具のカバーおよび保持部の断面図である。
【図３】同上照明器具のカバーおよび支持部材の端面図である。
【図４】同上照明器具の光源部を外した状態の斜視図である。
【図５】同上照明器具の斜視図である。
【発明を実施するための形態】
【００１０】
以下、一実施形態を、図１ないし図５を参照して説明する。
【００１１】
図４および図５に示すように、照明器具10は、逆富士形の天井直付形照明器具である。さらに、照明器具10は、防水形照明器具である。
【００１２】
照明器具10は、器具本体11、この器具本体11の下側に取り付けられる光源部12、および器具本体11内に配置される点灯装置13等を備えている。光源部12および点灯装置13等は、それぞれ個別に防水構造が採用されている。
【００１３】
そして、器具本体11は、長尺に形成されている。器具本体11の中央には、下方に開口される凹部18が器具本体11の長手方向に沿って形成されている。器具本体11の幅方向の両側には、上部側が側方に広がるように傾斜する側板19が配設されている。器具本体11の長手方向の両端には、端板20が配設されている。
【００１４】
凹部18には、点灯装置13が配置されている。点灯装置13は交流電力を所定の直流電力に変換して光源部12に供給する。
【００１５】
凹部18の長手方向の複数個所には、光源部12を取り付けるための複数の係止部材21が取り付けられている。係止部材21は、ばね材によって形成されており、両端が凹部18の幅方向の両側に配置されている。係止部材21の両端には、凹部18内に突出するように上方へ折曲された係止爪22が形成されている。
【００１６】
そして、図１ないし図５に示すように、光源部12は、筒状のカバー25、このカバー25内に配置される支持部材26および発光モジュール27、およびカバー25の両端に配置される端部ユニット28を備えている。
【００１７】
カバー25は、透光性を有する樹脂材料で、長尺な筒状に形成されている。カバー25は、筒部30、この筒部30の幅方向両側から上方へ突出する一対の取付部31、筒部30の内面から突出する一対の支持部32を備えている。
【００１８】
筒部30の上面には器具本体11の下面に配置される平面部33が形成され、筒部30の下面には下方へ湾曲突出する湾曲部34が形成されている。筒部30の端部は、取付部31および支持部32の端部よりも突出されている。
【００１９】
取付部31には、長手方向の複数個所であって、器具本体11の係止部材21に対応する箇所には、複数の取付部材35が取り付けられている。光源部12の上部を器具本体11の下部に組み合わせ、取付部31を凹部18に挿入することにより、取付部材35が係止部材21の係止爪22に係止され、光源部12が器具本体11に取り付けられるように構成されている。
【００２０】
支持部32は、平面部33の幅方向の両側に配置されている。支持部32は、筒部30の内面から突出するとともに先端側が互いに近づくように湾曲されている。
【００２１】
また、支持部材26は、例えば金属材料で、長尺に形成されている。支持部材26は、平板状の取付面37、およびこの取付面37の幅方向の両側から折曲された側面38を有している。側面38の先端には側面38の外側に湾曲された突出部39が形成されている。側面38の両端近傍には係止孔40が形成されている。支持部材26は、幅方向両側の突出部39がそれぞれカバー25の支持部32に嵌め込まれた状態で、カバー25内に長手方向に沿って挿通可能に構成されている。支持部材26がカバー25に挿通された状態では、取付面37とカバー25の平面部33との間に空間部41が形成されている。
【００２２】
また、発光モジュール27は、基板43、およびこの基板43に実装された発光素子44を備えている。発光素子44は、ＬＥＤや有機ＥＬ等のいずれでもよい。基板43の一端には、点灯装置13に接続するための電線が接続されている。
【００２３】
また、端部ユニット28は、連結部材46、パッキング47、キャップとしての内キャップ48、締付具としてのねじ49および押え金具50、および外キャップ51を備えている。なお、端部ユニット28の各構成において、カバー25に対して反対側の面を外端面、カバー25に対向する面を内端面と呼ぶ。
【００２４】
連結部材46は、例えば金属材料で形成されている。連結部材46は、端板53、端板53の上側から折曲された上板54、および上板54の両側から折曲された側板55を備えている。端板53は、カバー25の筒部30よりも小形に形成され、カバー25内に挿入可能としている。端板53には、ねじ49が螺着される取付孔56が形成されているとともに、配線孔57が形成されている。上板54および側板55は、カバー25内に支持部材26が挿通された状態で、カバー25と支持部材26との間の空間部41に挿入される。側板55には、支持部材26の係止孔40に係止される係止部58が形成されている。係止部58は、空間部41に挿入する方向の先端側を支点として後端側が側板55の外側に切り起こされている。
【００２５】
パッキング47は、例えばシリコーンゴム等で形成されているとともに、カバー25の筒部30の端部形状と相似形状に形成されている。パッキング47の周辺部60の内端面には、カバー25の筒部30の端部が差し込まれる環状の溝部61が形成されている。周辺部60の内側には隔壁部62が形成されている。この隔壁部62に、ねじ49が挿通する挿通孔63が形成されているとともに、複数の配線孔64が貫通する配線部65が形成されている。
【００２６】
内キャップ48は、例えば樹脂材料で形成されているとともに、カバー25の筒部30の端部形状と相似形状に形成されている。内キャップ48の内端面には、パッキング47の周辺部60および配線部65が収容される収容凹部67が形成されている。内キャップ48の外端面には、ねじ49および押え金具50が挿入される窪み部68が形成され、窪み部68にねじ49が挿通する挿通孔69が形成されている。内キャップ48には、複数の配線孔70が形成されている。内キャップ48の上面には、一対の配線ガイド71が突設されている。
【００２７】
ねじ49は、頭部49aおよびねじ部49bを有している。
【００２８】
押え金具50は、中央部にねじ49のねじ部49bが挿通する孔部50aが形成されている。押え金具50の中央部が外端面側に突出するとともに押え金具50の周辺部が内端面側に突出されている。
【００２９】
そして、連結部材46、パッキング47、内キャップ48およびねじ49は、カバー25の両端に取り付けられて支持部材26の両端を保持する保持部72として構成されている。
【００３０】
外キャップ51は、例えば樹脂材料で形成されているとともに、カバー25の筒部30の端部形状と相似形状に形成されている。外キャップ51は、この外キャップ51の内端面側が開口されていて、内キャップ48を覆うように内キャップ48に着脱可能に取り付けられる。外キャップ51の内面と内キャップ48の外端面および上面との間には発光モジュール27と点灯装置13とを電気的に接続する配線を通すためのスペースが形成されている。
【００３１】
次に、本実施形態の作用を説明する。
【００３２】
まず、光源部12を組み立てるには、発光モジュール27を取り付けた支持部材26をカバー25内に挿入する。このとき、支持部材26の幅方向両側の突出部39をカバー25の幅方向両側の支持部32に嵌め込み、支持部材26をカバー25内に挿入する。
【００３３】
連結部材46の上板54および側板55を支持部材26の端部に差し込み、係止部58を支持部材26の係止孔40に嵌め込み、連結部材46と支持部材26とを連結する。
【００３４】
パッキング47の溝部61に筒部30の端部を差し込んで、パッキング47をカバー25の端部に取り付ける。
【００３５】
内キャップ48の収容凹部67にパッキング47を収容するように、内キャップ48をパッキング47の外側に嵌め込む。
【００３６】
押え金具50を挿通したねじ49を内キャップ48の窪み部68に挿入し、ねじ部49bを内キャップ48の挿通孔69およびパッキング47の挿通孔63に挿入するとともに連結部材46の取付孔56に螺着する。ねじ49を締め付けることにより、支持部材26に連結された連結部材46とパッキング47を介してカバー25の端部に取り付けられた内キャップ48とが固定される。
【００３７】
なお、連結部材46、パッキング47、内キャップ48の取付作業を行う際、発光モジュール27に予め接続されている配線を連結部材46の配線孔57、パッキング47の配線孔64、および内キャップ48の配線孔70を通じて、内キャップ48の外端面から引き出す。
【００３８】
外キャップ51で内キャップ48を覆うように、外キャップ51を内キャップ48に取り付ける。このとき、内キャップ48の外端面から引き出されている電線を、外キャップ51と内キャップ48との間のスペースに通し、内キャップ48と外キャップ51との上部間から外部に引き出す。電線は、内キャップ48の一対の配線ガイド71の間に配線することにより、外部に引き出す位置を位置決めすることができる。
【００３９】
なお、光源部12を組み立てる場合の順序は、このような順序に限られるものではなく、例えば、予め連結部材46を支持部材26に取り付け、支持部材26および連結部材46を一緒にカバー25内に挿入してもよい。また、パッキング47と内キャップ48とを予め組み合わせておいて、パッキング47および内キャップ48を一緒にカバー25に取り付けるようにしてもよい。さらに、連結部材46、パッキング47、内キャップ48、ねじ49および押え金具50を予め組み合わせ、これらを一緒にカバー25および支持部材26に取り付けるようにしてもよい。
【００４０】
そして、光源部12は、カバー25の筒部30の端部にパッキング47が密着し、パッキング47の挿通孔63に挿通されるねじ49とパッキング47とが密着するとともに、パッキング47の配線孔64に挿通される電線とパッキング47とが密着するため、カバー25の両端部が密閉され、光源部12の防水構造が確保されている。
【００４１】
続いて、照明器具10を組み立てるには、光源部12から引き出されている電線を点灯装置13に接続する。これにより、発光モジュール27と点灯装置13とが電気的に接続される。
【００４２】
光源部12の上部を器具本体11の下部に組み合わせ、取付部31を凹部18に挿入することにより、取付部31に予め取り付けられている取付部材35が係止部材21の係止爪22に係止され、光源部12が器具本体11に取り付けられる。
【００４３】
そして、点灯装置13から所定の直流電力を発光モジュール27に供給し、発光モジュール27の発光素子44が点灯し、発光素子44が発する光がカバー25を透過して照明空間に照射される。
【００４４】
このように構成された照明器具10は、筒状のカバー25内に発光モジュール27を配置した支持部材26を挿入し、カバー25の両端部に取り付けられる保持部72で支持部材26の両端を保持することができるため、光源部12の構成を簡素化でき、組立性を向上させることができる。
【００４５】
しかも、カバー25の内面に、支持部材26を挿通可能に支持する支持部32を設けているため、カバー25と支持部材26とを位置決めし、保持することができる。
【００４６】
さらに、支持部材26は、発光モジュール27を取り付ける取付面37とカバー25との間に空間部41を設けているため、発光モジュール27が発生する熱と点灯装置13が発生する熱とが互いに影響し合うのを低減することができる。
【００４７】
また、筒状のカバー25を用いるとともに、保持部72がカバー25の端部に配置されるパッキング47を備えるため、カバー25によって器具本体11に取付可能な光源部12の防水構造を容易に提供することができる。
【００４８】
また、カバー25は、筒状に形成していても、器具本体11に取り付けられる上面側に平面部33を形成しているため、カバー25を器具本体11に近付けて取り付けることができ、薄形の照明器具10を提供することができる。
【００４９】
また、図２に示すように、光源部12は、支持部材26の端部と連結部材46との間には、隙間が形成されている。これにより、発光モジュール27の点灯時に発生する熱で支持部材26が熱膨張し、支持部材26が長手方向に延びるのを許容することができる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
10    照明器具
11    器具本体
12    光源部
25    カバー
26    支持部材
27    発光モジュール
30 筒部
31    取付部
33 平面部
46    連結部材
47    パッキング
48    キャップとしての内キャップ
72    保持部
【図１】
0006319576.tif 000002
【図２】
0006319576.tif 000003
【図３】
0006319576.tif 000004
【図４】
0006319576.tif 000005
【図５】
0006319576.tif 000006